(57)【特許請求の範囲】
【請求項１】
表示部を含み、前記表示部に表示される画像と被写体側ファインダ窓から見える被写体像とを接眼窓を通して同時に観察可能なファインダ装置と、被写体を撮像する撮像素子とを有する撮像装置であって、
前記撮像装置の電源投入後、前記撮像装置に対して撮影操作がなされたときに、前記撮像素子を起動する撮像素子制御部と、
前記撮像装置の電源投入後から前記撮影操作に応じて前記撮像素子が起動するまでの間に、前記撮像素子を起動して前記撮像素子により撮像を行わせる処理、当該撮像により得られる撮像信号を利用して前記撮像装置が撮影対象としている被写体の明るさの情報を取得する処理、前記明るさの情報に基づいて前記表示部の表示輝度を制御する処理、前記明るさの情報の取得後に前記撮像素子を停止する処理を含む表示輝度制御を実施する表示輝度制御部とを備える撮像装置。
【請求項２】
請求項１記載の撮像装置であって、
前記撮像装置の動きを検出する動き検出部を備え、
前記表示輝度制御部は、前記撮像装置の電源投入後から前記撮影操作に応じて前記撮像素子が起動するまでの間において、少なくとも前記動き検出部によって検出される前記撮像装置の動きが安定した時点で前記表示輝度制御を行う撮像装置。
【請求項３】
請求項２記載の撮像装置であって、
前記撮像素子制御部は、前記撮影操作が途中でキャンセルされた時点又は前記撮影操作に応じて行われる前記撮像素子による撮像が完了した時点で前記撮像素子を停止し、
前記表示輝度制御部は、前記表示輝度制御を１回行ってからは、少なくとも前記動き検出部によって検出される前記撮像装置の動きが不安定な状態から安定な状態になるたびに前記表示輝度制御を行う撮像装置。
【請求項４】
請求項２又は３記載の撮像装置であって、
前記接眼窓に物体が接触していることを検知する物体接触検知部を備え、
前記表示輝度制御部は、前記撮像装置の電源投入後から前記撮影操作に応じて前記撮像素子が起動するまでの間において、前記物体接触検知部によって前記物体の前記接眼窓への接触が検知され、かつ、前記動き検出部によって検出される前記撮像装置の動きが安定した時点で前記表示輝度制御を行う撮像装置。
【請求項５】
請求項４記載の撮像装置であって、
前記物体接触検知部によって前記物体の前記接眼窓への接触が検知されないときは前記表示部をオフにする制御を行う表示制御部を備える撮像装置。
【請求項６】
請求項１、２、４、５のいずれか１項記載の撮像装置であって、
前記表示輝度制御部は、前記表示輝度制御を１回行ってからは、前記撮影操作がなされるたびに、前記撮像素子で撮像して得られる撮像信号を利用して前記明るさの情報を取得する処理、及び、前記明るさの情報に基づいて前記表示部の表示輝度を制御する処理、を行う撮像装置。
【請求項７】
請求項１〜６のいずれか１項記載の撮像装置であって、
前記ファインダ装置は、前記撮像装置が再生モード時には前記表示部に表示される情報のみを前記接眼窓から観察可能なものであり、前記撮像装置が撮影モード時には前記被写体側ファインダ窓から見える被写体像と前記表示部に表示される画像とを前記接眼窓から同時に観察可能なものであり、
前記表示輝度制御部は、前記撮影モードにおいて前記撮像装置の電源投入後から前記表示輝度制御がなされるまでの間は、前記表示部の表示輝度を前記再生モード時の前記表示部の表示輝度よりも低くする撮像装置。
【請求項８】
表示部を含み、前記表示部に表示される画像と被写体側ファインダ窓から見える被写体像とを接眼窓を通して同時に観察可能なファインダ装置と、被写体を撮像する撮像素子とを有する撮像装置の前記表示部の表示制御方法であって、
前記撮像装置の電源投入後、前記撮像装置に対して撮影操作がなされたときに、前記撮像素子を起動する撮像素子制御ステップと、
前記撮像装置の電源投入後から前記撮影操作に応じて前記撮像素子が起動するまでの間に、前記撮像素子を起動して前記撮像素子により撮像を行わせる処理、当該撮像により得られる撮像信号を利用して前記撮像装置が撮影対象としている被写体の明るさの情報を取得する処理、前記明るさの情報に基づいて前記表示部の表示輝度を制御する処理、前記明るさの情報の取得後に前記撮像素子を停止する処理を含む表示輝度制御を実施する表示輝度制御ステップとを備える表示制御方法。
【請求項９】
請求項８記載の表示制御方法であって、
前記撮像装置の動きを検出する動き検出ステップを備え、
前記表示輝度制御ステップでは、前記撮像装置の電源投入後から前記撮影操作に応じて前記撮像素子が起動するまでの間において、少なくとも前記動き検出ステップにて検出される前記撮像装置の動きが安定した時点で前記表示輝度制御を行う表示制御方法。
【請求項１０】
請求項９記載の表示制御方法であって、
前記撮影操作が途中でキャンセルされた時点又は前記撮影操作に応じて行われる前記撮像素子による撮像が完了した時点で前記撮像素子を停止するステップを有し、
前記表示輝度制御ステップでは、前記表示輝度制御を１回行ってからは、少なくとも前記動き検出ステップにて検出される前記撮像装置の動きが不安定な状態から安定な状態になるたびに前記表示輝度制御を行う表示制御方法。
【請求項１１】
請求項９又は１０記載の表示制御方法であって、
前記接眼窓に物体が接触していることを検知する物体接触検知ステップと、
前記撮像装置の動きを検出する動き検出ステップとを備え、
前記表示輝度制御ステップでは、前記撮像装置の電源投入後から前記撮影操作に応じて前記撮像素子が起動するまでの間において、前記物体接触検知ステップにおいて前記物体の前記接眼窓への接触が検知され、かつ、前記動き検出ステップにおいて検出される前記撮像装置の動きが安定した時点で前記表示輝度制御を行う表示制御方法。
【請求項１２】
請求項１１記載の表示制御方法であって、
前記物体接触検知ステップにおいて前記物体の前記接眼窓への接触が検知されないときは前記表示部をオフにする制御を行う表示制御ステップを備える表示制御方法。
【請求項１３】
請求項８、９、１１、１２のいずれか１項記載の表示制御方法であって、
前記表示輝度制御ステップでは、前記表示輝度制御を１回行ってからは、前記撮影操作がなされるたびに、前記撮像素子で撮像して得られる撮像信号を利用して前記明るさの情報を取得する処理、及び、前記明るさの情報に基づいて前記表示部の表示輝度を制御する処理、を行う表示制御方法。
【請求項１４】
請求項８〜１３のいずれか１項記載の表示制御方法であって、
前記ファインダ装置は、前記撮像装置が再生モード時には前記表示部に表示される情報のみを前記接眼窓から観察可能なものであり、前記撮像装置が撮影モード時には前記被写体側ファインダ窓から見える被写体像と前記表示部に表示される画像とを前記接眼窓から同時に観察可能なものであり、
前記表示輝度制御ステップでは、前記撮影モードにおいて前記撮像装置の電源投入後から前記表示輝度制御がなされるまでの間は、前記表示部の表示輝度を前記再生モード時の前記表示部の表示輝度よりも低くする表示制御方法。
【発明の詳細な説明】
【技術分野】
【０００１】
本発明は、撮像装置及びその表示制御方法に関する。
【背景技術】
【０００２】
固体撮像素子から出力される撮影画像信号をデジタル処理して得た撮影画像データを記録媒体に保存するデジタルカメラにも、従来は、光学式ビューファインダ（以下、ＯＶＦともいう。）が設けられ、撮影者はファインダを覗き、被写体の構図などを目視し、シャッタボタンを押す様になっていた。
【０００３】
しかし、近年のデジタルカメラは、光学式ビューファインダを設けずに、カメラ背面に設けた大型液晶表示装置に固体撮像素子で撮影中の撮影画像を表示し、ファインダ代わりとするのが一般的になっている。
【０００４】
カメラ背面の大型液晶表示装置にライブビュー画像を表示する形式のデジタルカメラでは、撮影画像を確認するためにカメラを顔から離して見なければならず、シャッタボタンを押したとき手振れが発生しやすい。また、固体撮像素子から出力され画像処理されたライブビュー画像を表示しているため、実際の被写体の状態に対して若干のタイムラグが存在する画像となることは避けられない。
【０００５】
また、光学式ビューファインダの代わりに、電子ビューファインタ（以下、ＥＶＦともいう。）を搭載したデジタルカメラもある。電子ビューファインダは、小さなファインダの覗き窓内に小型液晶表示装置を設け、ここに固体撮像素子で撮影中の画像や撮影範囲枠の情報等を表示し、撮影者に被写体の構図などを確認させるものである。
【０００６】
しかしながら、電子ビューファインダは、小型液晶表示装置の画素数が少ないため、粗い画像しか表示できず、撮影者が被写体の細かな部分の確認ができない。また、上記と同様に、固体撮像素子から出力され画像処理された撮影画像を表示するため、実際の被写体の状態に対して若干のタイムラグが存在する。
【０００７】
近年のデジタルカメラのビューファインダは、上述した特性を有するとともに、カメラファンの中には、光学式ビューファインダの復活を望む声も多いので、例えば下記の特許文献１〜４に記載されている様なハイブリッド型のファインダ装置をデジタルカメラに搭載することが提案されている。
【０００８】
このハイブリッド型のファインダ装置は、光学式ビューファインダの光路の途中に斜め４５度のハーフミラーを置き、このハーフミラーに、ＥＶＦ用小型液晶表示装置に表示した情報の光を投射する構成となっている。そして、光学式ビューファインダを通した被写体の光像と、ＥＶＦ用小型液晶表示装置の表示情報のいずれか一方を選択してファインダ接眼レンズを通して撮影者の目に投影し、或いは、双方を同時に撮影者の目に投影する。
【０００９】
ハイブリッド型のファインダ装置において、光学式ビューファインダを通した被写体の光像と、ＥＶＦ用小型液晶表示装置の表示情報とを撮影者の目に同時に投影する場合、被写体の明るさはカメラの周辺環境によって変化するため、その明るさに合わせてＥＶＦ用小型液晶表示装置の表示輝度を調整することが必要になる。例えば、特許文献２，３では、測光センサによって検出した被写体輝度に応じて、ＥＶＦ用小型液晶表示装置の表示輝度を視認するに適切な値に制御している。
【先行技術文献】
【特許文献】
【００１０】
【特許文献１】特開平４−３０６７７号公報
【特許文献２】特開２０１０−１６６１２号公報
【特許文献３】特開２０１０−１６６０８号公報
【特許文献４】特開平６−２２１８５号公報
【発明の概要】
【発明が解決しようとする課題】
【００１１】
ハイブリッド型のファインダ装置を有するカメラでは、ファインダ装置の接眼レンズを通して被写体像を確認することができる。このため、カメラが起動してから撮影者がカメラに対する撮影操作（レリーズボタンの押下操作）を行うまでの間は、撮像に必要な部分（撮像素子、測光センサ等）の電源をオンにする必要はない。
【００１２】
特許文献２，３には、カメラの起動後から撮影操作がなされるまでの動作についての記載はない。しかし、測光センサによって取得した被写体輝度に応じてＥＶＦの表示輝度を制御するには、カメラの起動と同時に測光センサも起動させる必要があるため、消費電力が増大する。
【００１３】
そこで、撮影操作があったときにのみ測光センサを起動させて表示輝度の制御を行うことで、消費電力を低減することが考えられる。しかし、これでは、カメラを起動してから撮影操作がなされるまでの間に表示輝度の制御が行われなくなり、カメラ起動後の１回目の撮影におけるファインダ装置の視認性を良好なものにすることができない。
【００１４】
デジタルカメラのユーザは、電池を長持ちさせるために、デジタルカメラの電源を常にオンにはせず、撮影したいときにだけ電源をオンにして撮影を行うことが多い。
【００１５】
つまり、実使用においては、デジタルカメラの電源をオンオフする機会は多いため、カメラ起動後から１枚目の撮影を行うまでの電力消費を低減すること、カメラ起動後の１枚目の撮影を良好に行えることが重要な課題になる。
【００１６】
本発明は、上記事情に鑑みてなされたものであり、消費電力を増大させることなく、起動後の１回目の撮影を良好に行うことが可能なハイブリッド型のファインダ装置を備える撮像装置及びその表示制御方法を提供することを目的とする。
【課題を解決するための手段】
【００１７】
本発明の撮像装置は、表示部を含み、前記表示部に表示される画像と被写体側ファインダ窓から見える被写体像とを接眼窓を通して同時に観察可能なファインダ装置と、被写体を撮像する撮像素子とを有する撮像装置であって、前記撮像装置の電源投入後、前記撮像装置に対して撮影操作がなされたときに、前記撮像素子を起動する撮像素子制御部と、前記撮像装置の電源投入後から前記撮影操作に応じて前記撮像素子が起動するまでの間に、前記撮像素子を起動して前記撮像素子により撮像を行わせる処理、当該撮像により得られる撮像信号を利用して前記撮像装置が撮影対象としている被写体の明るさの情報を取得する処理、前記明るさの情報に基づいて前記表示部の表示輝度を制御する処理、前記明るさの情報の取得後に前記撮像素子を停止する処理を含む表示輝度制御を実施する表示輝度制御部とを備えるものである。
【００１８】
この構成により、撮像装置の電源を投入してから撮影操作がなされるまでの間において表示輝度制御が実施されるため、撮像装置の電源を投入してから１回目の撮影時における接眼窓から見える像の視認性を良好なものにすることができる。また、表示輝度制御において、明るさの情報の取得後は撮像素子が停止（電源オフ又はスタンバイ状態）になるため、無駄な電力消費を避けることができる。この撮像装置に搭載されるファインダ装置は、接眼窓から被写体像を確認して画角を決定することができるため、撮影操作がなされるまでに撮像素子を非起動にすることによる弊害は発生しない。
【００１９】
本発明の撮像装置の表示制御方法は、表示部を含み、前記表示部に表示される画像と被写体側ファインダ窓から見える被写体像とを接眼窓を通して同時に観察可能なファインダ装置と、被写体を撮像する撮像素子とを有する撮像装置の前記表示部の表示制御方法であって、前記撮像装置の電源投入後、前記撮像装置に対して撮影操作がなされたときに、前記撮像素子を起動する撮像素子制御ステップと、前記撮像装置の電源投入後から前記撮影操作に応じて前記撮像素子が起動するまでの間に、前記撮像素子を起動して前記撮像素子により撮像を行わせる処理、当該撮像により得られる撮像信号を利用して前記撮像装置が撮影対象としている被写体の明るさの情報を取得する処理、前記明るさの情報に基づいて前記表示部の表示輝度を制御する処理、前記明るさの情報の取得後に前記撮像素子を停止する処理を含む表示輝度制御を実施する表示輝度制御ステップとを備えるものである。
【発明の効果】
【００２０】
本発明によれば、消費電力を増大させることなく、起動後の１回目の撮影を良好に行うことが可能なハイブリッド型のファインダ装置を備える撮像装置を提供することができる。
【図面の簡単な説明】
【００２１】
【図１】本発明の一実施形態を説明するためのデジタルカメラの外観斜視図
【図２】図１に示すデジタルカメラ１０の内部ブロック構成図
【図３】ファインダ装置のＥＶＦ表示輝度と測光値との関係を示す図
【図４】図１に示すデジタルカメラの起動から撮影までの動作を説明するためのフローチャート
【図５】図１に示すデジタルカメラ１０の第一の変形例であるデジタルカメラ２０の概略構成を示す図
【図６】図５に示すデジタルカメラの起動から撮影までの動作を説明するためのフローチャート
【図７】図１に示すデジタルカメラ１０の第二の変形例であるデジタルカメラ３０の概略構成を示す図
【図８】図７に示すデジタルカメラの起動から撮影までの動作を説明するためのフローチャート
【発明を実施するための形態】
【００２２】
以下、本発明の実施形態について図面を参照して説明する。以下では撮像装置としてのデジタルカメラについて説明する。
【００２３】
図１は、本発明の一実施形態を説明するためのデジタルカメラの外観斜視図である。
【００２４】
デジタルカメラ１０は、矩形の筐体１１を備え、正面中央に沈胴式のレンズ鏡筒１２が設けられ、レンズ鏡筒１２内に撮影レンズ（焦点位置合わせレンズやズームレンズ等）１３が収納されている。
【００２５】
筐体１１の上端面の片側には二段ストローク式のシャッターレリーズボタン１４が設けられ、シャッターレリーズボタン１４とは反対側の角の筐体１１内には、詳細は後述するハイブリッド型のファインダ装置１５が設けられている。ファインダ装置１５の被写体側ファインダ窓１６が、筐体１１正面の角部に設けられ、その背面側に、ファインダ装置１５の接眼窓１７が設けられている。
【００２６】
図２は、図１に示すデジタルカメラ１０の内部ブロック構成図である。
【００２７】
デジタルカメラ１０は、ＣＣＤ型の固体撮像素子２１ａと、固体撮像素子２１ａの前段に置かれた撮影レンズ１３（ズームレンズを１３ａ、フォーカス用レンズを１３ｂとする。）と、絞り（アイリス）２４と、固体撮像素子２１ａの出力信号（撮影画像信号）をアナログ信号処理するＣＤＳＡＭＰ（相関二重サンプリング（ＣＤＳ），利得制御増幅器（ＡＭＰ））２５ａと、ＣＤＳＡＭＰ２５ａの出力信号をデジタル信号に変換するアナログデジタル（Ａ／Ｄ）変換器２６ａと、ファインダ装置１５とを備える。
【００２８】
なお、固体撮像素子２１ａは、この例ではＣＣＤ型であるが、ＣＭＯＳ型等の他の形式の固体撮像素子でも良い。
【００２９】
ファインダ装置１５は、被写体側ファインダ窓１６と接眼窓１７との間に、対物レンズ６５と、ＯＶＦシャッタ６２と、ハーフミラー６３を内部に持つプリズム６６とがこの順に収納されている。
【００３０】
ＯＶＦシャッタ６２は、対物レンズ６５とプリズム６６との間に挿入されて光を遮蔽する状態（「閉」状態）と、対物レンズ６５とプリズム６６との間から退避させられて光を遮蔽しない状態（「開」状態）とをとることができる。ＯＶＦシャッタ６２は、遮蔽板を出し入れするものであってもよいし、電気的に透過率を制御できる素子（例えば液晶シャッタ）としてもよい。
【００３１】
ハーフミラー６３は、被写体からの入射光軸Ｌに対して斜め４５度に設置されており、ハーフミラー６３に隣接しかつ入射光軸Ｌに対し平行にＥＶＦ用の液晶表示装置６１が設置されている。
【００３２】
これにより、ＯＶＦシャッタ６２が「開」状態のときには、ハーフミラー６３を透過した被写体からの入射光（ＯＶＦ光学像）と、液晶表示装置６１から発せられハーフミラー６３で反射した光（液晶表示装置６１に表示されるＥＶＦ画像）とが重なった状態で撮影者の目に投影される。
【００３３】
ハーフミラー６３は、好適には、５０％の光を透過し５０％の光を反射する例えば銀膜などで構成されるが、この比率に限るものではない。他の比率、例えば、７０％（又は６０％）の光を透過し３０％（又は４０％）の光を反射する膜でも良く、或いは逆に、３０％（又は４０％）の光を透過し７０％（又は６０％）の光を反射する膜でも良く、透過光と反射光とが両方存在すればよい。
【００３４】
対物レンズ６５のズーム倍率と、ズームレンズ１３ａのズーム倍率とは連動して変化するように、両レンズ６５，１３ａの駆動機構は内部で連結されており、ズームレンズ１３ａがズームして被写体を拡大表示したとき、ファインダ内のＯＶＦ光学像も拡大表示される様になっている。
【００３５】
ＯＶＦシャッタ６２を「開」状態としかつＥＶＦ用の液晶表示装置６１を非表示状態にすることで、ファインダ装置１５は光学式ビューファインダ（ＯＶＦ）として使用され、ＯＶＦシャッタ６２を「閉」状態としかつＥＶＦ用の液晶表示装置６１を表示状態にすることで、ファインダ装置１５は電子ビューファインダ（ＥＶＦ）として使用されることになる。
【００３６】
また、ＯＶＦシャッタ６２を「開」状態としかつＥＶＦ用の液晶表示装置６１を表示状態（オン）にすることで、被写体の構図を光学式ビューファインダにて確認しながら、液晶表示装置６１に表示される情報を同時に同一ファインダ枠内で確認することができる。
【００３７】
なお、ファインダ装置１５は、液晶表示装置６１に表示する画像（ＥＶＦ画像）と被写体側ファインダ窓１６から見える被写体像（ＯＶＦ光学像）とを接眼窓１７を通して同時に観察可能なものであればよく、公知の他の構造を採用することもできる。
【００３８】
デジタルカメラ１０は、更に、Ａ／Ｄ変換器２６ａから出力されるデジタルの撮影画像信号を取り込む画像入力コントローラ３１と、このデジタルカメラ１０の全体を統括制御する演算処理装置（ＣＰＵ）３２と、画像入力コントローラ３１によって取り込まれた撮影画像信号を画像処理して撮影画像データを生成する画像信号処理回路３３と、固体撮像素子２１ａから出力される撮影画像信号から焦点位置を検出するＡＦ検出回路３４と、露出量，ホワイトバランスを自動検出するＡＥ＆ＡＷＢ検出回路３５と、ワークメモリとして使用するＲＡＭや各種データを記憶するＲＯＭ等を含むメモリ３６と、液晶表示装置６１に表示させる表示情報（撮影範囲を示す情報等）を生成する表示情報生成部３８と、画像処理後の撮影画像データをＪＰＥＧ画像やＭＰＥＧ画像に圧縮する圧縮処理回路３９と、カメラ背面等に設けられた液晶表示装置４０に撮影画像やライブビュー画像を表示させたり、表示情報生成部３８で生成された表示情報をファインダ装置１５内の液晶表示装置６１に表示させたりする表示制御部４１と、記録メディア４２に撮影画像データを保存するメディアコントローラ４３と、これらを相互接続するバス４４とを備える。
【００３９】
ＣＰＵ３２には、撮影モード／再生モードを切り換えるスイッチ５１と、シャッターレリーズボタン１４とが接続され、これらスイッチ５１，シャッターレリーズボタン１４から入力されるユーザ指示に基づき、ＣＰＵ３２はデジタルカメラ１０を制御する。
【００４０】
ＣＰＵ３２は、デジタルカメラ１０の電源投入時には少なくとも撮像素子２１ａは起動させず、デジタルカメラ１０に対する撮影操作（オートモードのときはＡＥ・ＡＦを指示するための操作、マニュアルモードのときは撮影を指示するための操作）がなされたときに撮像素子２１ａを起動し、その撮影操作が途中でキャンセル又はその撮影操作に応じて行われる撮像素子２１ａによる撮像処理が完了した時点で、撮像素子２１ａを停止する。
【００４１】
ここでいう“停止”とは、撮像素子２１ａへの電源供給を停止して撮像素子２１ａを完全にオフにする場合と、撮像素子２１ａにわずかな電源供給を行っておき撮像素子２１ａを瞬時に起動できるような状態（スタンバイ状態）にする場合とを含む。
【００４２】
液晶表示装置６１は、表示画面上において情報（例えば、撮影モード時であれば撮影範囲枠）を表示させたい部分だけバックライトの光を透過させ、それ以外の部分のバックライト光は透過させないようにする（黒表示にする）ことで、情報の表示を行う。
【００４３】
このため、ＯＶＦシャッタ６２が“開”状態かつ液晶表示装置６１がオンのときには、バックライトの輝度が高いと、黒表示している部分からも多少の光漏れが生じ、この光漏れによってＯＶＦ光学像が白浮きして見え、ＯＶＦ光学像の視認性が低下する。一方、バックライトの輝度が低いと、情報表示部分が薄くなり、ＥＶＦ表示情報の視認性が低下する。
【００４４】
このような光漏れやＥＶＦ表示情報の薄まりは、ＯＶＦ光学像の明るさによっては問題にならなくなる。
【００４５】
例えば、ＯＶＦ光学像が明るい場合には、撮影範囲枠を見やすくするためにバックライト輝度は高くすることが好ましく、この場合は光漏れがあっても、もともとＯＶＦ光学像が明るいため問題にならない。
【００４６】
また、ＯＶＦ光学像が暗い場合には、光漏れによる視認性低下を防ぐためにバックライト輝度は低くすることが好ましく、この場合はＥＶＦ表示情報の薄まりがあっても、もともとＯＶＦ光学像が暗いため問題にならない。
【００４７】
そこで、デジタルカメラ１０では、ＣＰＵ３２が、デジタルカメラ１０の電源投入後から最初の撮影操作に応じて撮像素子２１ａが起動するまでの間に、撮像素子２１ａを起動させて撮像を行わせる処理、当該撮像によって得られる撮像信号から撮影対象となる被写体の明るさの情報（照度情報）を取得する処理、取得した照度情報に基づいて液晶表示装置６１の表示輝度（具体的にはバックライトの輝度）を視認性が良好になるように制御する処理、照度情報の取得後に撮像素子２１ａを停止する処理を含む表示輝度制御を行う。
【００４８】
ハイブリッド型のファインダ装置１５では、接眼窓１７からＯＶＦ光学像を常に確認することができるため、デジタルカメラ１０に対して撮影操作がなされるまでは、撮像素子２１ａを起動させなくても問題はない。そこで、ＣＰＵ３２は、省電力化を図るために、照度情報に基づいて液晶表示装置６１の表示輝度を視認性が良好になるように制御する処理を行った後は、撮像素子２１ａを停止する処理を行う。
【００４９】
メモリ３６には、照度情報と、その照度情報に基づく照度の被写体に最適な液晶表示装置６１の表示輝度とを対応付けた照度−輝度テーブルが記憶されている。図３は、照度−輝度テーブルのデータを、横軸を照度情報（例えば測光値）とし、縦軸を液晶表示装置６１の表示輝度（ＥＶＦ＿輝度；Ｄｕｔｙ比）として図示したものである。
【００５０】
ＣＰＵ３２は、この照度−輝度テーブルと被写体の照度情報とに基づいて、液晶表示装置６１の最適な表示輝度を決定し、この表示輝度となるように表示制御部４１に指示して、液晶表示装置６１のバックライトの輝度を制御する。
【００５１】
このデジタルカメラ１０は、更に、ズームレンズ１３ａの駆動モータに駆動パルスを供給するモータドライバ４６と、フォーカスレンズ１３ｂの位置を駆動するモータに駆動パルスを供給するモータドライバ４７と、絞り２４の絞り制御を行う駆動モータに駆動パルスを供給するモータドライバ４８と、ＯＶＦシャッタ６２の位置制御を行うモータに駆動パルスを供給するモータドライバ５３と、固体撮像素子２１ａに駆動タイミングパルスを供給するタイミングジェネレータ４９とを備え、これらは、ＣＰＵ３２からの指令に基づいて動作する。また、ＣＤＳＡＭＰ２５ａもＣＰＵ３２からの指令に基づいて動作する。
【００５２】
以下、デジタルカメラ１０の動作について詳細に説明する。図４は、図１に示したデジタルカメラ１０の撮影モード時の動作を説明するためのフローチャートである。
【００５３】
まず、デジタルカメラ１０のユーザが、デジタルカメラ１０を撮影モードに設定した状態で電源を投入すると、ＣＰＵ３２は、デジタルカメラ１０のシステムの起動に必要なシーケンスを実施する（ステップＳ１）。
【００５４】
なお、ＯＶＦシャッタ６２は、再生モード時以外は常に“開”状態になっているものとする。また、この起動シーケンスでは、ＣＰＵ３２は、撮像素子２１ａと液晶表示装置６１を起動させない。
【００５５】
起動シーケンスの終了後、ＣＰＵ３２は、撮像素子２１ａと液晶表示装置６１を起動させて、撮像素子２１ａにより撮像を開始させ、液晶表示装置６１に撮影範囲枠等の撮影を支援するための情報を表示させる（ステップＳ２）。
【００５６】
次に、ＣＰＵ３２は、撮像素子２１ａの撮像によって得られ画像入力コントローラ３１により入力された撮像信号を取得し、この撮像信号を利用して被写体の照度情報を算出することで、照度情報を取得する（ステップＳ３）。
【００５７】
例えば、この撮像信号を利用してＡＥ＆ＡＷＢ検出回路３５によりデジタルカメラ１０の最適測光値を算出し、この測光値を照度情報とする。
【００５８】
ＣＰＵ３２は、照度情報を取得した後、撮像素子２１ａを停止する（ステップＳ４）。
【００５９】
次に、ＣＰＵ３２は、取得した照度情報とメモリ３６に記憶されている照度−輝度テーブルとに基づいて、取得した照度情報に応じた液晶表示装置６１の表示輝度を決定する（ステップＳ５）。
【００６０】
次に、ＣＰＵ３２は、液晶表示装置６１の表示輝度がステップＳ５で決定した表示輝度となるよう表示制御部４１に指示し、液晶表示装置６１の表示輝度を変更させる（ステップＳ６）。
【００６１】
ステップＳ６の後、ＣＰＵ３２は、シャッターレリーズボタン１４の半押しの待機状態となる。
【００６２】
シャッターレリーズボタン１４の半押しによりＡＥ・ＡＦ指示のための撮影操作がなされると（ステップＳ７：ＹＥＳ）、ＣＰＵ３２は、ステップＳ４で停止した撮像素子２１ａを起動させる（ステップＳ８）。
【００６３】
具体的には、撮像素子２１ａをオフからオンにしたり、撮像素子２１ａのスタンバイ状態を解除したりすることで、撮像素子２１ａを起動する。
【００６４】
次に、ＣＰＵ３２は、撮像素子２１ａによりＡＥ・ＡＦのための撮像を行わせ、その撮像により得られる撮像信号を用いて、ＡＥ・ＡＦ処理を実施する（ステップＳ９）。また、ＣＰＵ３２は、ＡＥ処理の際に求めた測光値（照度情報）と照度−輝度テーブルにしたがって、液晶表示装置６１の表示輝度を当該測光値に応じた値に制御する。
【００６５】
ステップＳ９の後、ＣＰＵ３２は、シャッターレリーズボタン１４の全押し待機の状態となる。そして、シャッターレリーズボタン１４の全押しがなされると（ステップ１０：ＯＮ）、ＣＰＵ３２は、撮像素子２１ａにより本撮像を行わせる撮像シーケンスを実施する（ステップＳ１１）。
【００６６】
ステップＳ１０においてシャッターレリーズボタン１４の全押しが解除（撮影操作が途中でキャンセル）された場合、ＣＰＵ３２は撮像素子２１ａを再び停止する（ステップＳ１２）。
【００６７】
ステップＳ１１の撮像シーケンスが終了（撮影操作に応じて行われる撮像処理が完了）した後も、ＣＰＵ３２は、撮像素子２１ａを停止する（ステップＳ１２）。
【００６８】
ステップＳ１２の後は、ステップＳ７に処理を移行し、シャッターレリーズボタン１４の半押し待機の状態となる。
【００６９】
以上のように、デジタルカメラ１０は、撮影モードで起動した直後に、撮像素子２１ａを起動して被写体の照度情報を取得し、液晶表示装置６１の表示輝度をその照度情報に応じた値に制御し、その後、撮像素子２１ａを停止して撮影操作の待機状態になる。
【００７０】
このため、デジタルカメラ１０の電源を投入してから１回目の撮影を開始するまでの間において、撮影者は、液晶表示装置６１の表示輝度が被写体の明るさに応じた値に制御された状態で接眼窓１７を覗くことができ、違和感なく撮影を実施することができる。また、表示輝度が制御された後は撮像素子２１ａが停止されるため、消費電力を低減することができる。
【００７１】
また、デジタルカメラ１０によれば、電源投入されてから１回目の撮影操作がなされるまでの間に、液晶表示装置６１の表示輝度の制御を１回だけ行うため、無駄な電力消費をなくすことができる。
【００７２】
また、１回目の表示輝度制御を行ってからは、撮影操作がなされたときにのみ表示輝度の制御を行うため、撮影モード中に表示輝度の制御を定期的に行い続ける場合と比較して消費電力を大幅に低減することができる。また、表示輝度の制御を常に行っていないため、その分、撮像素子２１ａを動作させる回数も減らすことができ、このことからも消費電力を低減することができる。
【００７３】
なお、図４のステップＳ２における液晶表示装置６１の起動時の表示輝度は固定値に設定されるが、このときの固定値は、再生モード時における液晶表示装置６１の表示輝度よりも低く（例えば半分）することが好ましい。これは、何らかの原因により、図４のステップＳ２〜Ｓ６の処理が行われないまま、撮影者が接眼窓１７を覗いてしまった場合を考慮している。
【００７４】
デジタルカメラ１０が再生モード時には、ＣＰＵ３２がＯＶＦシャッタ６２を“閉”状態に制御し、液晶表示装置６１に撮影画像等を表示させる。このような制御により、接眼窓１７を覗いたユーザに対し、液晶表示装置６１に表示される画像のみを見せるようにしている。この再生モード時には、ＯＶＦシャッタ６２が“閉”状態であり、ファインダ装置１５内は暗いため、液晶表示装置６１の表示輝度は視認しやすいように最大輝度にしている。
【００７５】
これに対し、撮影モードではＯＶＦシャッタ６２が“開”状態であるため、液晶表示装置６１の表示輝度が最大になっていると、上述した光漏れによってＯＶＦ光学像の視認性が低下してしまう。
【００７６】
ユーザは、撮影した画像を再生モードで確認してから再び撮影モードに戻るといった使い方をすることが多い。このため、撮影モードにおける液晶表示装置６１の起動時の表示輝度を再生モード時の表示輝度を基準にして、その表示輝度よりも低く設定しておくことで、何らかの原因により、図４のステップＳ２〜Ｓ６の処理が行われないまま撮影者が接眼窓１７を覗いてしまった場合でも、ＯＶＦ光学像の視認性をある程度確保することが可能になる。
【００７７】
また、上述したように、液晶表示装置６１の表示輝度が低いと、被写体が明るいときには、ＯＶＦ光学像に重なる情報が見づらくなり、液晶表示装置６１の表示輝度が高いと、被写体が暗いときには、ＯＶＦ光学像が見づらくなる。
【００７８】
より良い写真を撮影するに際しては、ＯＶＦ光学像に重なる情報が見づらくなることよりも、ＯＶＦ光学像が見づらくなるのを避けることの方が重要になる。このため、液晶表示装置６１の起動時の表示輝度をある程度低くしておく（再生モード時の表示輝度よりも低くしておく）ことが、撮影者にとっての使い勝手向上に繋がる。
【００７９】
図５は、図１に示したデジタルカメラ１０の変形例であるデジタルカメラ２０の概略構成を示すブロック図である。
【００８０】
図５に示すデジタルカメラ２０は、デジタルカメラ２０の動きを検出する動き検出部としての重力加速度センサ３７を追加した点を除いては、図１に示したデジタルカメラ１０の構成と同じである。
【００８１】
デジタルカメラ２０では、ＣＰＵ３２が、デジタルカメラ２０の電源が投入されてから撮影操作に応じて撮像素子２１ａを起動するまでの間において、デジタルカメラ２０の動きが安定した時点で表示輝度制御を行う。
【００８２】
図６は、図５に示したデジタルカメラ２０の撮影モード時の動作を説明するためのフローチャートである。図６において図４に示した処理と同じものには同一符号を付して説明を省略する。
【００８３】
まず、デジタルカメラ２０のユーザが、撮影モードに設定した状態でデジタルカメラ２０の電源を投入すると、ＣＰＵ３２は、デジタルカメラ２０のシステムの起動に必要なシーケンスを実施する（ステップＳ２０）。この起動シーケンスでは、ＣＰＵ３２は、撮像素子２１ａと液晶表示装置６１を起動しない。
【００８４】
次に、ＣＰＵ３２は、重力加速度センサ３７から重力加速度情報を取得し（ステップＳ２１）、取得した重力加速度情報が前回取得した重力加速度情報と一致（完全に一致でなくてもよく、差が所定範囲にあればよい）するかどうかを判定する（ステップＳ２２）。
【００８５】
ステップＳ２１とステップＳ２２の処理は、重力加速度情報の一致回数が所定数（例えば５回）になるまで繰り返し行われ、重力加速度情報の一致回数が５回になった場合（ステップＳ２２：ＹＥＳ）、ＣＰＵ３２は、デジタルカメラ２０の動きが安定したと判定し、図４のステップＳ２〜ステップＳ６と同じ処理を行う。
【００８６】
ステップＳ６の後、ＣＰＵ３２は、シャッターレリーズボタン１４の半押し待機の状態となる。そして、シャッターレリーズボタン１４の半押しによりＡＥ・ＡＦ指示のための撮影操作がなされると（ステップＳ２３：ＹＥＳ）、ＣＰＵ３２は、ステップＳ４で停止した撮像素子２１ａを起動する（ステップＳ２４）。
【００８７】
次に、ＣＰＵ３２は、撮像素子２１ａによりＡＥ・ＡＦのための撮像を行わせ、その撮像により得られる撮像信号を用いて、ＡＥ・ＡＦ処理を実施する（ステップＳ２５）。
【００８８】
ステップＳ２５の後、ＣＰＵ３２は、シャッターレリーズボタン１４の全押し待機の状態となる。そして、シャッターレリーズボタン１４の全押しがなされると（ステップＳ２６：ＯＮ）、ＣＰＵ３２は、撮像素子２１ａにより本撮像を行わせる撮像シーケンスを実施する（ステップＳ２７）。
【００８９】
ステップＳ２６においてシャッターレリーズボタン１４の全押しが解除された場合、ＣＰＵ３２は撮像素子２１ａを再び停止する（ステップＳ２８）。
【００９０】
ステップＳ２７の撮像シーケンスが終了した後も、ＣＰＵ３２は、撮像素子２１ａを停止する（ステップＳ２８）。
【００９１】
ステップＳ２８の後とステップＳ２３：ＮＯの後、ＣＰＵ３２は、重力加速度センサ３７から重力加速度情報を取得し、その重力加速度情報とその直前に取得した重力加速度情報とを比較する（ステップＳ２９）。
【００９２】
双方が一致していれば（ステップＳ２９：ＮＯ）、デジタルカメラ２０は動いていないと判定してステップＳ２３に処理を戻し、双方が一致していない場合（ステップＳ２９：ＹＥＳ）にはデジタルカメラ２０が動いたと判定してステップＳ２１に処理を戻す。
【００９３】
以上のように、デジタルカメラ２０によれば、撮影者がデジタルカメラ２０の電源を投入し、デジタルカメラ２０の位置を固定させて撮影姿勢をとった時点で初めて表示輝度制御が実施される。
【００９４】
このため、液晶表示装置６１の表示輝度を、撮影姿勢に入ったときのデジタルカメラ２０の撮影対象としている被写体の明るさに適したものにすることができ、撮影環境に適した表示が可能になる。
【００９５】
また、撮影者が撮影姿勢をとらないままデジタルカメラ２０の電源をオフにするような場合には表示輝度制御が行われることはない。このため、消費電力を低減してデジタルカメラ２０の電池を長持ちさせることができる。
【００９６】
また、デジタルカメラ２０は、撮影モードで起動してから表示輝度制御を行った後、最初の撮影操作がなされるまでの間は、デジタルカメラ２０の動きが不安定な状態（最新の重力加速度情報が前回の重力加速度情報と一致しない状態）から安定な状態（重力加速度情報が５回一致した状態）に移るたびに表示輝度制御を実施する。
【００９７】
このため、デジタルカメラ２０の電源投入後にデジタルカメラ２０の位置を一旦固定した後、デジタルカメラ２０をパンして別のアングルで撮影を行うような場合でも、撮影しようとするアングルにおいて最適な表示輝度制御がなされるため、撮影環境に適した表示が可能になる。
【００９８】
また、デジタルカメラ２０は、１回目の撮影操作がなされた後も、デジタルカメラ２０の動きが不安定な状態から安定している状態に移行するたびに表示輝度制御を実施するため、デジタルカメラ２０の動きに合わせて液晶表示装置６１の表示輝度を変更でき、撮影環境に応じた表示輝度制御が可能になる。
【００９９】
なお、図６において、ステップＳ２３の判定がＹＥＳときに図４のステップＳ８以降の処理（ステップＳ１２の後はステップＳ７に移行）を行うようにしてもよい。
【０１００】
つまり、１回目の表示輝度制御が行われてからは、撮影操作が行われるたびに、照度情報の取得処理と表示輝度の変更処理を行うようにしてもよい。撮影操作がなされた時点で照度情報を取得するようにすることで、被写体の明るさにより適した表示輝度を実現することができる。
【０１０１】
図７は、図１に示したデジタルカメラ１０の変形例であるデジタルカメラ３０の概略構成を示すブロック図である。
【０１０２】
図７に示すデジタルカメラ３０は、ファインダ装置１５の接眼窓１７に物体が接触したことを検知する物体接触検知部としての近距離センサ等のアイセンサ５０を追加した点を除いては、図５に示したデジタルカメラ２０の構成と同じである。
【０１０３】
デジタルカメラ３０では、ＣＰＵ３２が、デジタルカメラ３０の電源投入後から撮影操作に応じて撮像素子２１ａを起動するまでの間において、アイセンサ５０によって接眼窓への物体の接触が検知され、かつ、重力加速度センサ３７の重力加速度情報からデジタルカメラ３０の動きが安定していると判定した時点で表示輝度制御を行う。
【０１０４】
図８は、図７に示したデジタルカメラ３０の撮影モード時の動作を説明するためのフローチャートである。
【０１０５】
まず、デジタルカメラ３０のユーザが、撮影モードに設定した状態でデジタルカメラ３０の電源を投入すると、ＣＰＵ３２は、デジタルカメラ３０のシステムの起動に必要なシーケンスを実施する（ステップＳ３０）。このシーケンスでは、ＣＰＵ３２は、撮像素子２１ａと液晶表示装置６１を起動しない。
【０１０６】
次に、ＣＰＵ３２は、アイセンサ５０からの物体検知信号の受信待機状態に移行し、物体検知信号を受信した場合（ステップＳ３１：ＹＥＳ）は、図６で説明したステップＳ２１、ステップＳ２２の処理を行う。
【０１０７】
ステップＳ２２において重力加速度情報が５回一致した（デジタルカメラ３０の動きが安定した）と判定した場合、ＣＰＵ３２は、撮像素子２１ａを起動する（ステップＳ３２）。ステップＳ２２において重力加速度情報が５回一致していない（デジタルカメラ３０の動きが安定していない）と判定した場合、ＣＰＵ３２は、ステップＳ３１に処理を戻す。
【０１０８】
ステップＳ３２で撮像素子２１ａを起動した後は、図４のステップＳ３〜Ｓ５と同じ処理を行い、ステップＳ３３に移行する。
【０１０９】
ステップＳ３３では、ＣＰＵ３２が、表示制御部４１を制御して液晶表示装置６１をオンにし、ステップＳ５で決定した表示輝度で液晶表示装置６１による表示を開始させる。
【０１１０】
次に、ＣＰＵ３２は、シャッターレリーズボタン１４の半押し待機の状態となる。そして、シャッターレリーズボタン１４の半押しによりＡＥ・ＡＦ指示のための撮影操作がなされると（ステップＳ３４：ＹＥＳ）、ＣＰＵ３２は、図６のステップＳ２４以降の処理（ただし、ステップＳ２８の後はステップＳ３５に戻る）を行う。
【０１１１】
ステップＳ３４の判定がＮＯであった場合、ＣＰＵ３２は、アイセンサ５０からの物体検知信号の有無を判定し、物体検知信号が受信されなくなった場合（ステップＳ３５：ＮＯ）は、表示制御部４１を制御して液晶表示装置６１を停止させる（ステップＳ３６）。その後、ステップＳ３１に処理を移行する。
【０１１２】
アイセンサ５０から物体検知信号が継続して出力されている場合（ステップＳ３５：ＹＥＳ）、ＣＰＵ３２は、重力加速度センサ３７から重力加速度情報を取得し、その重力加速度情報が前回取得した重力加速度情報と一致するか否かを判定する（ステップＳ３７）。
【０１１３】
重力加速度情報に変化があった場合（ステップＳ３７：ＹＥＳ）、ＣＰＵ３２は、表示制御部４１を制御して液晶表示装置６１を停止させる（ステップＳ３８）。その後、ステップＳ３１に処理を移行する。重力加速度情報に変化がなかった場合（ステップＳ３７：ＮＯ）、ステップＳ３４に処理を移行する。
【０１１４】
以上のように、デジタルカメラ３０によれば、撮影者が、デジタルカメラ３０の電源を投入してから接眼窓１７に目をつけてデジタルカメラ３０を固定した時点で表示輝度制御が行われる。
【０１１５】
このため、接眼窓１７に目をつけた状態で撮影方向を変える等している間は表示輝度制御が行われることはなく、撮影環境に適した液晶表示装置６１の表示輝度の制御を行うことができる。また、接眼窓１７に目をつけずにデジタルカメラ３０をパンさせている間も表示輝度制御が行われることはなく、撮影環境に適した液晶表示装置６１の表示輝度の制御を行うことができる。
【０１１６】
また、デジタルカメラ３０によれば、液晶表示装置６１がオンになった後も、アイセンサ５０から検知信号が出力されないとき、又は、重力加速度情報に変化があったとき（デジタルカメラ３０に動きがあったとき）には液晶表示装置６１がオフにされる。
【０１１７】
撮影者が接眼窓１７を覗いていないときや、デジタルカメラ３０を移動させているときには、液晶表示装置６１をオンしていなくてもよいと考えられるため、このようなときには液晶表示装置６１をオフにすることで、無駄な電力消費をなくすことができる。
【０１１８】
なお、図８において、ステップＳ３４の判定がＹＥＳときに図４のステップＳ８以降の処理（ステップＳ１２の後はステップＳ７に移行）を行うようにしてもよい。
【０１１９】
つまり、１回目の表示輝度制御がなされてからは、撮影操作が行われるたびに、照度情報の取得処理と表示輝度の変更処理を行うようにしてもよい。撮影操作がなされた時点で照度情報を取得するようにすることで、被写体の明るさにより適した表示輝度を実現することができる。
【０１２０】
以上説明したように、本明細書には以下の事項が開示されている。
【０１２１】
開示された撮像装置は、表示部を含み、前記表示部に表示される画像と被写体側ファインダ窓から見える被写体像とを接眼窓を通して同時に観察可能なファインダ装置と、被写体を撮像する撮像素子とを有する撮像装置であって、前記撮像装置の電源投入後、前記撮像装置に対して撮影操作がなされたときに、前記撮像素子を起動する撮像素子制御部と、前記撮像装置の電源投入後から前記撮影操作に応じて前記撮像素子が起動するまでの間に、前記撮像素子を起動して前記撮像素子により撮像を行わせる処理、当該撮像により得られる撮像信号を利用して前記撮像装置が撮影対象としている被写体の明るさの情報を取得する処理、前記明るさの情報に基づいて前記表示部の表示輝度を制御する処理、前記明るさの情報の取得後に前記撮像素子を停止する処理を含む表示輝度制御を実施する表示輝度制御部とを備えるものである。
【０１２２】
この構成により、撮像装置の電源を投入してから撮影操作がなされるまでの間において表示輝度制御が実施されるため、撮像装置の電源を投入してから１回目の撮影時における接眼窓から見える像の視認性を良好なものにすることができる。また、表示輝度制御において、明るさの情報の取得後は撮像素子が停止（電源オフ又はスタンバイ状態）するため、無駄な電力消費を避けることができる。この撮像装置に搭載されるファインダ装置は、接眼窓から被写体像を確認して画角を決定することができるため、撮影操作がなされるまでに撮像素子を非起動にすることによる弊害は発生しない。
【０１２３】
開示された撮像装置は、前記撮像装置の動きを検出する動き検出部を備え、前記表示輝度制御部は、前記撮像装置の電源投入後から前記撮影操作に応じて前記撮像素子が起動するまでの間において、少なくとも前記動き検出部によって検出される前記撮像装置の動きが安定した時点で前記表示輝度制御を行うものである。
【０１２４】
この構成により、撮影者が撮像装置の電源を投入してから撮像装置を固定させて撮影姿勢になった時点で初めて明るさの情報が取得され、その明るさの情報に基づいて表示部の表示輝度が制御される。このため、表示部の表示輝度を、撮影姿勢に入ったときの被写体の明るさに適したものにすることができる。また、撮影姿勢に入らないまま撮像装置の電源をオフにするような場合には、撮像素子の起動や表示輝度の制御が行われることはないため、消費電力を低減して撮像装置の電池を長持ちさせることができる。
【０１２５】
開示された撮像装置は、前記撮像素子制御部は、前記撮影操作が途中でキャンセルされた時点又は前記撮影操作に応じて行われる前記撮像素子による撮像が完了した時点で前記撮像素子を停止し、前記表示輝度制御部は、前記表示輝度制御を１回行ってからは、少なくとも前記動き検出部によって検出される前記撮像装置の動きが不安定な状態から安定な状態になるたびに前記表示輝度制御を行うものである。
【０１２６】
この構成により、撮像装置の電源投入後に撮像装置を一旦固定した後、これを移動させて別のアングルで撮影を行うような場合でも、撮影しようとするアングルにおいて表示輝度制御がなされるため、撮影環境に適した表示が可能になる。
【０１２７】
開示された撮像装置は、前記接眼窓に物体が接触していることを検知する物体接触検知部と、前記撮像装置の動きを検出する動き検出部とを備え、前記表示輝度制御部は、前記撮像装置の電源投入後から前記撮影操作に応じて前記撮像素子が起動するまでの間において、前記物体接触検知部によって前記物体の前記接眼窓への接触が検知され、かつ、前記動き検出部によって検出される前記撮像装置の動きが安定した時点で前記表示輝度制御を行うものである。
【０１２８】
この構成により、例えば撮影者が、撮像装置の電源を投入してから接眼窓に目をつけて撮像装置を固定した時点で表示輝度制御が行われる。このため、接眼窓に目をつけた状態で撮影方向を変える等している間は表示輝度制御が行われることはなく、撮影環境に適した表示輝度の制御を行うことができる。また、接眼窓に目をつけていない状態でも表示輝度制御が行われることはなく、無駄な電力消費を防ぐことができる。
【０１２９】
開示された撮像装置は、前記物体接触検知部によって前記物体の前記接眼窓への接触が検知されないときは前記表示部をオフにする制御を行う表示制御部を備えるものである。
【０１３０】
この構成により、表示部を常にオンしている場合と比べて消費電力を低減することができる。
【０１３１】
開示された撮像装置は、前記制御部は、前記表示輝度制御を１回行ってからは、前記撮影操作がなされるたびに、前記撮像素子で撮像して得られる撮像信号を利用して前記明るさの情報を取得する処理、及び、前記明るさの情報に基づいて前記表示部の表示輝度を制御する処理、を行うものである。
【０１３２】
この構成により、表示輝度制御が１回行われた後は、撮影操作がなされたときにだけ明るさの情報の取得と表示部の表示輝度の制御が行われるため、消費電力を低減することができる。また、撮影操作がなされた時点での被写体の明るさの情報に応じて表示部の表示輝度が設定されるため、表示輝度の制御を被写体の明るさに合わせてより正確に行うことができる。
【０１３３】
開示された撮像装置は、前記ファインダ装置は、前記撮像装置が再生モード時には前記表示部に表示される情報のみを前記接眼窓から観察可能なものであり、前記撮像装置が撮影モード時には前記被写体側ファインダ窓から見える被写体像と前記表示部に表示される画像とを前記接眼窓から同時に観察可能なものであり、前記表示輝度制御部は、前記撮影モードにおいて前記撮像装置の電源投入後から前記表示輝度制御がなされるまでの間は、前記表示部の表示輝度を前記再生モード時の前記表示部の表示輝度よりも低くするものである。
【０１３４】
この構成により、何らかの要因で表示輝度制御がなされなかった場合でも、表示部の表示輝度は再生モード時よりも低く設定されているため、ファインダ装置の視認性を損なうことはない。
【０１３５】
開示された撮像装置の表示制御方法は、表示部を含み、前記表示部に表示される画像と被写体側ファインダ窓から見える被写体像とを接眼窓を通して同時に観察可能なファインダ装置と、被写体を撮像する撮像素子とを有する撮像装置の前記表示部の表示制御方法であって、前記撮像装置の電源投入後、前記撮像装置に対して撮影操作がなされたときに、前記撮像素子を起動する撮像素子制御ステップと、前記撮像装置の電源投入後から前記撮影操作に応じて前記撮像素子が起動するまでの間に、前記撮像素子を起動して前記撮像素子により撮像を行わせる処理、当該撮像により得られる撮像信号を利用して前記撮像装置が撮影対象としている被写体の明るさの情報を取得する処理、前記明るさの情報に基づいて前記表示部の表示輝度を制御する処理、前記明るさの情報の取得後に前記撮像素子を停止する処理を含む表示輝度制御を実施する表示輝度制御ステップとを備えるものである。
【０１３６】
開示された撮像装置の表示制御方法は、前記撮像装置の動きを検出する動き検出ステップを備え、前記表示輝度制御ステップでは、前記撮像装置の電源投入後から前記撮影操作に応じて前記撮像素子が起動するまでの間において、少なくとも前記動き検出ステップにて検出される前記撮像装置の動きが安定した時点で前記表示輝度制御を行うものである。
【０１３７】
開示された撮像装置の表示制御方法は、前記撮影操作が途中でキャンセルされた時点又は前記撮影操作に応じて行われる前記撮像素子による撮像が完了した時点で前記撮像素子を停止するステップを有し、前記表示輝度制御ステップでは、前記表示輝度制御を１回行ってからは、少なくとも前記動き検出ステップにて検出される前記撮像装置の動きが不安定な状態から安定な状態になるたびに前記表示輝度制御を行うものである。
【０１３８】
開示された撮像装置の表示制御方法は、前記接眼窓に物体が接触していることを検知する物体接触検知ステップと、前記撮像装置の動きを検出する動き検出ステップとを備え、前記表示輝度制御ステップでは、前記撮像装置の電源投入後から前記撮影操作に応じて前記撮像素子が起動するまでの間において、前記物体接触検知ステップにおいて前記物体の前記接眼窓への接触が検知され、かつ、前記動き検出ステップにおいて検出される前記撮像装置の動きが安定した時点で前記表示輝度制御を行うものである。
【０１３９】
開示された撮像装置の表示制御方法は、前記物体接触検知ステップにおいて前記物体の前記接眼窓への接触が検知されないときは前記表示部をオフにする制御を行う表示制御ステップを備えるものである。
【０１４０】
開示された撮像装置の表示制御方法は、前記表示輝度制御ステップでは、前記表示輝度制御を１回行ってからは、前記撮影操作がなされるたびに、前記撮像素子で撮像して得られる撮像信号を利用して前記明るさの情報を取得する処理、及び、前記明るさの情報に基づいて前記表示部の表示輝度を制御する処理、を行うものである。
【０１４１】
開示された撮像装置の表示制御方法は、前記ファインダ装置は、前記撮像装置が再生モード時には前記表示部に表示される情報のみを前記接眼窓から観察可能なものであり、前記撮像装置が撮影モード時には前記被写体側ファインダ窓から見える被写体像と前記表示部に表示される画像とを前記接眼窓から同時に観察可能なものであり、前記表示輝度制御ステップでは、前記撮影モードにおいて前記撮像装置の電源投入後から前記表示輝度制御がなされるまでの間は、前記表示部の表示輝度を前記再生モード時の前記表示部の表示輝度よりも低くするものである。
【符号の説明】
【０１４２】
１０  デジタルカメラ
１５  ファインダ装置
１６  ファインダ窓
１７  撮影者側ファインダ覗き窓
２１ａ  固体撮像素子
３６  メモリ
４１  表示制御部
６１  ＥＶＦ用液晶表示装置
６３  ハーフミラー
【図１】
0005572564.tif 000002
【図２】
0005572564.tif 000003
【図３】
0005572564.tif 000004
【図４】
0005572564.tif 000005
【図５】
0005572564.tif 000006
【図６】
0005572564.tif 000007
【図７】
0005572564.tif 000008
【図８】
0005572564.tif 000009